(57)【特許請求の範囲】
【請求項１】
送り手側装置と、受け手側装置とを通信ネットワークで接続して、互いにデジタルコンテンツデータの送受を行なって互いに認証するデジタルコンテンツの認証方法であって、
前記送り手側装置は、
コンピュータが、
手書きサイン及び印章を入力させる入力画面を表示させるための制御データと、デジタルコンテンツデータとを第１のデータして記憶する一方、前記送り手側装置と受け手側装置との間で前記デジタルコンテンツデータの送受を行なうための送受制御データを第１の記憶手段に記憶するステップと、
前記制御データに基づく第１の入力画面を表示し、この画面に入力された送り手側の手書きサインデータ及び印章データを前記第１の記憶手段に記憶するステップと、
前記第１のデータと前記送受制御データとを第１の送り手側の送信データとして前記受け手側装置に送信するステップと、
前記受け手側装置からの第１の受け手側の送信データを受信して前記第１の記憶手段に記憶するステップと、
前記第１の記憶手段の第１の受け手側の送信データのデジタルコンテンツデータ及び前記受け手側の印章データを画面に表示するステップと、
前記画面に表示された第１の受け手側の送信データのデジタルコンテンツデータに対して確認操作が入力した場合は、該第１の受け手側の送信データに含まれている前記受け手側の手書きサインデータを画面に表示するステップと、
前記受け手側の手書きサインデータの表示後に、前記受信した第１の受け手側の送信データを
前記受け手側装置に第２の送り手側の送信データとして送信するステップと
を行い、
前記受け手側装置は、
コンピュータが、
前記送り手側装置からの前記第１の送り手側の送信データを受信し、これを第１の受け手側の受信データとして第２の記憶手段に記憶するステップと、
前記第２の記憶手段の第１の受け手側の受信データに含まれている、デジタルコンテンツデータ及び前記送り手側の印章データを画面に表示するステップと、
前記第１の受け手側の受信データに含まれているデジタルコンテンツデータを表示した後に、該第１の受け手側の受信データに含まれている入力画面を表示させるための制御データに基づく画面を第２の入力画面として表示するステップと、
この第２の入力画面に受け手側の印章データ及び受け手側のサインデータが入力されると、前記第１の受け手側の受信データに含まれている前記送り手側のサインデータを画面に表示するステップと、
前記送り手側のサインデータを画面に表示した後に、前記受け手側の印章データ及び受け手側のサインデータ並びに前記第１の受け手側の受信データに含まれているデジタルコンテンツデータを前記第１の受け手側の送信データとして前記送り手側装置に送出するステップと、
前記送り手側装置から前記第２の送り手側の送信データを受信して前記第２の記憶手段に記憶すると共に、この第２の送り手側の送信データに含まれているデジタルコンテンツ、送り手側の印章データ、送り手側のサインデータ並びに受け手側の印章データ、受け手側のサインデータを表示するステップと
を行なうことを特徴とするデジタルコンテンツの認証方法。
【請求項２】
前記送り手側装置は、
前記第２の送り手側の送信データを送信した後に、前記第１の記憶手段の第１のデータ及び送受制御データを消去するステップと
を行なうことを特徴とする請求項１記載のデジタルコンテンツの認証方法。
【請求項３】
前記受け手側装置は、
前記第２の送り手側の送信データに含まれているデジタルコンテンツ、送り手側の印章データ、送り手側のサインデータ並びに受け手側の印章データ、受け手側のサインデータを表示した後に、前記第１の受け手側の受信データを消去するステップと
を行なうことを特徴とする請求項１又は２記載のデジタルコンテンツの認証方法。
【請求項４】
前記送り手側装置は、
前記第１の送り手側の送信データの送信回数を計数し、該計数値が予め設定されている計数値に到達するまで送信させるステップと
を行なうことを特徴とする請求項１乃至３のいずれかに記載のデジタルコンテンツの認証方法。
【請求項５】
送り手側装置と、受け手側装置とを通信ネットワークで接続して、互いにデジタルコンテンツデータの送受を行なって互いに認証するデジタルコンテンツの認証システムであって、
前記送り手側装置は、
手書きサイン及び印章を入力させる入力画面を表示させるための制御データと、デジタルコンテンツデータとを第１のデータして記憶する一方、前記送り手側装置と受け手側装置との間で前記デジタルコンテンツデータの送受を行なうための送受制御データを記憶する第１の記憶手段と、
前記制御データに基づく第１の入力画面を表示し、この画面に入力された送り手側の手書きサインデータ及び印章データを前記第１の記憶手段に記憶する手段と、
前記第１のデータと前記送受制御データとを第１の送り手側の送信データとして前記受け手側装置に送信する手段と、
前記受け手側装置からの第１の受け手側の送信データを受信して前記第１の記憶手段に記憶する手段と、
前記第１の記憶手段の第１の受け手側の送信データのデジタルコンテンツデータ及び前記受け手側の印章データを画面に表示する手段と、
前記画面に表示された第１の受け手側の送信データのデジタルコンテンツデータに対して確認操作が入力した場合は、該第１の受け手側の送信データに含まれている前記受け手側の手書きサインデータを画面に表示する手段と、
前記受け手側の手書きサインデータの表示後に、前記受信した第１の受け手側の送信データを
前記受け手側装置に第２の送り手側の送信データとして送信する手段と
を備え、
前記受け手側装置は、
前記送り手側装置からの前記第１の送り手側の送信データを受信し、これを第１の受け手側の受信データとして第２の記憶手段に記憶する手段と、
前記第２の記憶手段の第１の受け手側の受信データに含まれている、デジタルコンテンツデータ及び前記送り手側の印章データを画面に表示する手段と、
前記第１の受け手側の受信データに含まれているデジタルコンテンツデータを表示した後に、該第１の受け手側の受信データに含まれている入力画面を表示させるための制御データに基づく画面を第２の入力画面として表示する手段と、
この第２の入力画面に受け手側の印章データ及び受け手側のサインデータが入力されると、前記第１の受け手側の受信データに含まれている前記送り手側のサインデータを画面に表示する手段と、
前記送り手側のサインデータを画面に表示した後に、前記受け手側の印章データ及び受け手側のサインデータ並びに前記第１の受け手側の受信データに含まれているデジタルコンテンツデータを前記第１の受け手側の送信データとして前記送り手側装置に送出する手段と、
前記送り手側装置から前記第２の送り手側の送信データを受信して前記第２の記憶手段に記憶すると共に、この第２の送り手側の送信データに含まれているデジタルコンテンツ、送り手側の印章データ、送り手側のサインデータ並びに受け手側の印章データ、受け手側のサインデータを表示する手段と
を有することを特徴とするデジタルコンテンツの認証システム。
【請求項６】
前記送り手側装置は、
前記第２の送り手側の送信データを送信した後に、前記第１の記憶手段の第１のデータ及び送受制御データを消去する手段と
を有することを特徴とする請求項５記載のデジタルコンテンツの認証システム。
【請求項７】
前記受け手側装置は、
前記第２の送り手側の送信データに含まれているデジタルコンテンツ、送り手側の印章データ、送り手側のサインデータ並びに受け手側の印章データ、受け手側のサインデータを表示した後に、前記第１の受け手側の受信データを消去する手段と
を有することを特徴とする請求項５又は６記載のデジタルコンテンツの認証システム。
【請求項８】
前記送り手側装置は、
前記第１の送り手側の送信データの送信回数を計数し、該計数値が予め設定されている計数値に到達するまで送信させる手段と
を有することを特徴とする請求項５乃至７のいずれかに記載のデジタルコンテンツの認証システム。
【発明の詳細な説明】
【０００１】
【発明の属する技術分野】
この発明は、例えばインターネットを利用して実現されるデジタルコンテンツの認証方法と、デジタルコンテンツの認証システムに関するものである。
【０００２】
【従来の技術】
近年、インターネットに代表されるオープンなネットワークが世界的に普及してきている。この種のネットワークでは、さまざまな商品・サービスに対するアクセスがオープンに行われていて、新たなビジネスチャンスが数多く生まれている。このようなインターネットビジネスでは、ネットワークセキュリティが欠かすことのできない存在であり、その１つとして、認証と呼ばれる本人確認、内容確認が行われている。
【０００３】
従来は、本人確認のための認証ではパスワードが用いられ、また、内容確認のための認証では暗号技術が応用されている。
【０００４】
【発明が解決しようとする課題】
しかしながら、このようなインターネットにおける従来の認証システムは、パスワードや暗号技術を用いるため、馴染みの薄いユーザにとっては使いにくく、不便であるという不都合があった。
【０００５】
この発明の課題は、上記従来のもののもつ不都合を解消して、パスワードや暗号技術に馴染みの薄いユーザにとっても、本人確認および内容確認を含む認証を、簡便で使いやすく実現することのできるデジタルコンテンツの認証方法およびデジタルコンテンツの認証システムを提供することにある。
【０００６】
【課題を解決するための手段】
この発明は、送り手側装置と、受け手側装置とを通信ネットワークで接続して、互いにデジタルコンテンツデータの送受を行なって互いに認証するデジタルコンテンツの認証方法であって、
前記送り手側装置は、
コンピュータが、
手書きサイン及び印章を入力させる入力画面を表示させるための制御データと、デジタルコンテンツデータとを第１のデータして記憶する一方、前記送り手側装置と受け手側装置との間で前記デジタルコンテンツデータの送受を行なうための送受制御データを第１の記憶手段に記憶するステップと、
前記制御データに基づく第１の入力画面を表示し、この画面に入力された送り手側の手書きサインデータ及び印章データを前記第１の記憶手段に記憶するステップと、
前記第１のデータと前記送受制御データとを第１の送り手側の送信データとして前記受け手側装置に送信するステップと、
前記受け手側装置からの第１の受け手側の送信データを受信して前記第１の記憶手段に記憶するステップと、
前記第１の記憶手段の第１の受け手側の送信データのデジタルコンテンツデータ及び前記受け手側の印章データを画面に表示するステップと、
前記画面に表示された第１の受け手側の送信データのデジタルコンテンツデータに対して確認操作が入力した場合は、該第１の受け手側の送信データに含まれている前記受け手側の手書きサインデータを画面に表示するステップと、
前記受け手側の手書きサインデータの表示後に、前記受信した第１の受け手側の送信データを
前記受け手側装置に第２の送り手側の送信データとして送信するステップと
を行い、
前記受け手側装置は、
コンピュータが、
前記送り手側装置からの前記第１の送り手側の送信データを受信し、これを第１の受け手側の受信データとして第２の記憶手段に記憶するステップと、
前記第２の記憶手段の第１の受け手側の受信データに含まれている、デジタルコンテンツデータ及び前記送り手側の印章データを画面に表示するステップと、
前記第１の受け手側の受信データに含まれているデジタルコンテンツデータを表示した後に、該第１の受け手側の受信データに含まれている入力画面を表示させるための制御データに基づく画面を第２の入力画面として表示するステップと、
この第２の入力画面に受け手側の印章データ及び受け手側のサインデータが入力されると、前記第１の受け手側の受信データに含まれている前記送り手側のサインデータを画面に表示するステップと、
前記送り手側のサインデータを画面に表示した後に、前記受け手側の印章データ及び受け手側のサインデータ並びに前記第１の受け手側の受信データに含まれているデジタルコンテンツデータを前記第１の受け手側の送信データとして前記送り手側装置に送出するステップと、
前記送り手側装置から前記第２の送り手側の送信データを受信して前記第２の記憶手段に記憶すると共に、この第２の送り手側の送信データに含まれているデジタルコンテンツ、送り手側の印章データ、送り手側のサインデータ並びに受け手側の印章データ、受け手側のサインデータを表示するステップと
を行なうことを要旨とする。
【０００７】
前記送り手側装置は、
前記第２の送り手側の送信データを送信した後に、前記第１の記憶手段の第１のデータ及び送受制御データを消去するステップと
を行なうことを要旨とする。
【０００８】
前記受け手側装置は、
前記第２の送り手側の送信データに含まれているデジタルコンテンツ、送り手側の印章データ、送り手側のサインデータ並びに受け手側の印章データ、受け手側のサインデータを表示した後に、前記第１の受け手側の受信データを消去するステップと
を行なうことを要旨とする。
【０００９】
前記送り手側装置は、
前記第１の送り手側の送信データの送信回数を計数し、該計数値が予め設定されている計数値に到達するまで送信させるステップと
を行なうことを要旨とする。
【００１０】
この発明は、送り手側装置と、受け手側装置とを通信ネットワークで接続して、互いにデジタルコンテンツデータの送受を行なって互いに認証するデジタルコンテンツの認証システムであって、
前記送り手側装置は、
手書きサイン及び印章を入力させる入力画面を表示させるための制御データと、デジタルコンテンツデータとを第１のデータして記憶する一方、前記送り手側装置と受け手側装置との間で前記デジタルコンテンツデータの送受を行なうための送受制御データを記憶する第１の記憶手段と、
前記制御データに基づく第１の入力画面を表示し、この画面に入力された送り手側の手書きサインデータ及び印章データを前記第１の記憶手段に記憶する手段と、
前記第１のデータと前記送受制御データとを第１の送り手側の送信データとして前記受け手側装置に送信する手段と、
前記受け手側装置からの第１の受け手側の送信データを受信して前記第１の記憶手段に記憶する手段と、
前記第１の記憶手段の第１の受け手側の送信データのデジタルコンテンツデータ及び前記受け手側の印章データを画面に表示する手段と、
前記画面に表示された第１の受け手側の送信データのデジタルコンテンツデータに対して確認操作が入力した場合は、該第１の受け手側の送信データに含まれている前記受け手側の手書きサインデータを画面に表示する手段と、
前記受け手側の手書きサインデータの表示後に、前記受信した第１の受け手側の送信データを
前記受け手側装置に第２の送り手側の送信データとして送信する手段と
を備え、
前記受け手側装置は、
前記送り手側装置からの前記第１の送り手側の送信データを受信し、これを第１の受け手側の受信データとして第２の記憶手段に記憶する手段と、
前記第２の記憶手段の第１の受け手側の受信データに含まれている、デジタルコンテンツデータ及び前記送り手側の印章データを画面に表示する手段と、
前記第１の受け手側の受信データに含まれているデジタルコンテンツデータを表示した後に、該第１の受け手側の受信データに含まれている入力画面を表示させるための制御データに基づく画面を第２の入力画面として表示する手段と、
この第２の入力画面に受け手側の印章データ及び受け手側のサインデータが入力されると、前記第１の受け手側の受信データに含まれている前記送り手側のサインデータを画面に表示する手段と、
前記送り手側のサインデータを画面に表示した後に、前記受け手側の印章データ及び受け手側のサインデータ並びに前記第１の受け手側の受信データに含まれているデジタルコンテンツデータを前記第１の受け手側の送信データとして前記送り手側装置に送出する手段と、
前記送り手側装置から前記第２の送り手側の送信データを受信して前記第２の記憶手段に記憶すると共に、この第２の送り手側の送信データに含まれているデジタルコンテンツ、送り手側の印章データ、送り手側のサインデータ並びに受け手側の印章データ、受け手側のサインデータを表示する手段と
を有することを要旨とする。
【００１１】
前記送り手側装置は、
前記第２の送り手側の送信データを送信した後に、前記第１の記憶手段の第１のデータ及び送受制御データを消去する手段と
を有することを要旨とする
【００１２】
前記受け手側装置は、
前記第２の送り手側の送信データに含まれているデジタルコンテンツ、送り手側の印章データ、送り手側のサインデータ並びに受け手側の印章データ、受け手側のサインデータを表示した後に、前記第１の受け手側の受信データを消去する手段と
を有することを要旨とする。
【００１３】
前記送り手側装置は、
前記第１の送り手側の送信データの送信回数を計数し、該計数値が予め設定されている計数値に到達するまで送信させる手段と
を有することを要旨とする。
【００２１】
【発明の実施の形態】
この発明の実施の形態を、図面を参照して説明する。
図１は、この発明によるデジタルコンテンツの認証システムの一実施の形態を示すブロック図であり、このデジタルコンテンツの認証システム１は、インターネット等のネットワークを利用して転送されるデジタルコンテンツを、送り手と受け手との間で電子メール方式を用いてやりとりして認証するシステムである。
【００２２】
そのため、このデジタルコンテンツの認証システム１は、インターネット等のネットワーク１０を挟んで送り手側には、送り手側端末コンピュータ１１Ａおよび送り手側メールサーバ１２Ａが設けられる一方、受け手側には、受け手側端末コンピュータ１１Ｂおよび受け手側メールサーバ１２Ｂが設けられ、さらに、送り手Ａと受け手Ｂとの間でデジタルコンテンツを転送するためのプログラム２０を備えている。
【００２３】
プログラム（メインプログラム）２０は、管理プログラム２１と実行プログラム２２とで構成され、このうち実行プログラム２２が、送り手Ａと受け手Ｂとの間で転送されるようになっている。
【００２４】
図２に示すように、実行プログラム２２は、複数の互いに同一のサブプログラム３０、３０、…を備えている。そして、管理プログラム２１は、実行プログラム２２の中からサブプログラム３０、３０、…を順番に実行可能状態にセットして、各サブプログラム３０をそれぞれ３回ずつ電子メール方式で転送させるものであり、ｎ番目のサブプログラム３０を３回転送させ終わったら、そのサブプログラム３０の実行を完了させるとともに、つぎのｎ＋１番目のサブプログラム３０を実行可能状態にし、すべてのサブプログラム３０、３０、…の実行を完了させると、プログラム２０が使い終わるようになっている。
【００２５】
各サブプログラム３０は、送り手Ａから受け手Ｂへの送信時に必要な受け手ＢのメールアドレスＭＢを保存する受け手アドレス保存部３１Ｂと、受け手Ｂから送り手Ａへの返信時に必要な送り手ＡのメールアドレスＭＡを保存する送り手アドレス保存部３１Ａと、デジタルコンテンツＤＣを表示可能に組み込むデジタルコンテンツ保存部３２とを備えている。
【００２６】
また、各サブプログラム３０は、受け手Ｂに届いた実行プログラム２２が、送り手Ａから転送されたものであることを受け手Ｂが確認するための送り手Ａの識別標識として、送り手Ａが自己の印章ＳＡを入力するための所定の入力画面を表示して印章ＳＡの入力を受け付ける送り手印章受付部３３Ａと、入力操作の終了を確認する送り手印章確認部３４Ａと、確認された印章ＳＡを保存する送り手印章保存部３５Ａとを備えている。
【００２７】
また、各サブプログラム３０は、組み込まれたデジタルコンテンツＤＣの内容が正規のものであることを送り手Ａが保証している旨を受け手Ｂが確認するための送り手Ａの保証標識として、送り手Ａが自己のサインＳｇＡを手書き入力するための所定の手書き入力画面を表示してサインＳｇＡの手書き入力を受け付ける送り手サイン受付部３６Ａと、手書き入力操作の終了を確認する送り手サイン確認部３７Ａと、確認されたサインＳｇＡを保存する送り手サイン保存部３８Ａとを備えている。
【００２８】
そして、送り手印章保存部３５Ａに保存された送り手Ａの印章ＳＡは、受け手側端末コンピュータ１１Ｂを使って受け手Ｂが実行プログラム２２の実行状態にあるサブプログラム３０を見るだけで、図示しない画面に表示されて受け手Ｂが確認できるのに対して、送り手サイン保存部３８Ａに保存された送り手ＡのサインＳｇＡは、受け手Ｂがそのサブプログラム３０を見て開く（起動させる）だけでは表示されず、そのサブプログラム３０に組み込まれたデジタルコンテンツＤＣの内容が正規のものであることを受け手Ｂが確認したうえで、受け手Ｂが自己のサインＳｇＢを手書き入力し、その終了を確認してはじめて表示されるようになっている。
【００２９】
しかも、このとき表示される送り手ＡのサインＳｇＡは、そのまま表示することでサインＳｇＡだけの複製が行われることを防止するため、サインＳｇＡを読み取ることが可能な程度の適宜の画像が重ねて表示されるようになっている。
【００３０】
一方、各サブプログラム３０は、送り手Ａに届いた実行プログラム２２が、受け手Ｂから転送されたものであることを送り手Ａが確認するための受け手Ｂの識別標識として、受け手Ｂが自己の印章ＳＢを入力するための所定の入力画面を表示して印章ＳＢの入力を受け付ける受け手印章受付部３３Ｂと、入力操作の終了を確認する受け手印章確認部３４Ｂと、確認された印章ＳＢを保存する受け手印章保存部３５Ｂとを備えている。
【００３１】
また、各サブプログラム３０は、組み込まれたデジタルコンテンツＤＣの内容が正規のものであることを受け手Ｂが保証している旨を送り手Ａが確認するための受け手Ｂの保証標識として、受け手Ｂが自己のサインＳｇＢを手書き入力するための所定の手書き入力画面を表示してサインＳｇＢの手書き入力を受け付ける受け手サイン受付部３６Ｂと、手書き入力操作の終了を確認する受け手サイン確認部３７Ｂと、確認されたサインＳｇＢを保存する受け手サイン保存部３８Ｂとを備えている。
【００３２】
そして、受け手印章保存部３５Ｂに保存された受け手Ｂの印章ＳＢは、送り手側端末コンピュータ１１Ａを使って送り手Ａが実行プログラム２２の実行状態にあるサブプログラム３０を見るだけで、図示しない画面に表示されて送り手Ａが確認できるのに対して、受け手サイン保存部３８Ｂに保存された受け手ＢのサインＳｇＢは、送り手Ａがそのサブプログラム３０を見て開く（起動させる）だけでは表示されず、そのサブプログラム３０に組み込まれたデジタルコンテンツＤＣの内容が正規のものであることを送り手Ａが確認したうえで、送り手Ａが所定の確認操作をしてはじめて表示されるようになっている。
【００３３】
しかも、このとき表示される受け手ＢのサインＳｇＢは、そのまま表示することでサインＳｇＢだけの複製が行われることを防止するため、サインＳｇＢを読み取ることが可能な程度の適宜の画像が重ねて表示されるようになっている。
【００３４】
そのため、各サブプログラム３０は、受け手Ｂから送り手Ａへ転送された実行プログラム２２に組み込まれたデジタルコンテンツＤＣの内容が、最初に送り手Ａから受け手Ｂへ転送された実行プログラム２２に組み込まれたデジタルコンテンツＤＣの内容と一致しているか否かを、両デジタルコンテンツＤＣのデータを比較することで判定する返信デジタルコンテンツ一致判定部３９Ａを備え、また、その後、送り手Ａから受け手Ｂへ再転送される実行プログラム２２に組み込まれたデジタルコンテンツＤＣの内容が、受け手Ｂから送り手Ａへ転送された実行プログラム２２に組み込まれたデジタルコンテンツＤＣの内容と一致しているか否かを、両デジタルコンテンツＤＣのデータを比較することで判定する再送信デジタルコンテンツ一致判定部３９Ｂを備えている。
【００３５】
次に、上記の実施の形態の作用について、図３に示すフローチャートおよび図４に示す説明図を用いて説明する。
【００３６】
まず、送り手Ａ側では、送り手Ａが、プログラム（メインプログラム）２０を送り手側端末コンピュータ１１Ａにインストールして起動すると、管理プログラム２１が、実行プログラム２２の中からｎ番目（最初は１番目）のサブプログラム３０を実行可能状態にセットする（ステップＳ１）。
【００３７】
そこで、送り手Ａが、実行可能状態にあるサブプログラム３０に対して、受け手のメールアドレスＭＢ、送り手のメールアドレスＭＡ、デジタルコンテンツＤＣ、自己の印章ＳＡ、および自己のサインＳｇＡを入力する（ステップＳ２）。
【００３８】
そして、この入力操作が終了すると、実行プログラム２２を受け手Ｂ側へ転送する（ステップＳ３）。
【００３９】
このとき送り手Ａ側から受け手Ｂ側へ転送される実行プログラム２２は、概略、図４の実行プログラム２２▲１▼Ａで示される。
【００４０】
一方、受け手Ｂ側では、送り手Ａ側から転送された実行プログラム２２が届くと、受け手側端末コンピュータ１１Ｂを使って届いた実行プログラム２２を見ることで、受け手側端末コンピュータ１１Ｂの図示しない画面に、送り手Ａの印章ＳＡが表示される（ステップＳ１１）。これにより、受け手Ｂは、その実行プログラム２２が送り手Ａから送信されたものであることを確認することができる。
【００４１】
このとき受け手Ｂ側に届いた実行プログラム２２は、概略、図４の実行プログラム２２▲１▼Ｂで示される。
【００４２】
そこで、受け手Ｂが、その実行プログラム２２に組み込まれたデジタルコンテンツＤＣの内容が正規のものであることを確認すると、自己の印章ＳＢ、および自己のサインＳｇＢを入力する（ステップＳ１２）。
【００４３】
そして、この入力操作が終了すると、それまで表示されていなかった送り手ＡのサインＳｇＡが、適宜の画像を重ねて読み取り可能に表示されることで、受け手Ｂは、そのデジタルコンテンツＤＣの内容が正規のものであることを送り手Ａが保証している旨を確認することができる。そして、実行プログラム２２を送り手Ａ側へ転送する（ステップＳ１３）。
【００４４】
このとき受け手Ｂ側から送り手Ａ側へ転送される実行プログラム２２は、概略、図４の実行プログラム２２▲２▼Ｂで示される。
【００４５】
他方、送り手Ａ側では、受け手Ｂ側から転送された実行プログラム２２が届くと、送り手側端末コンピュータ１１Ａを使って届いた実行プログラム２２を見ることで、送り手側端末コンピュータ１１Ａの図示しない画面に、受け手Ｂの印章ＳＢが表示される（ステップＳ４）。これにより、送り手Ａは、その実行プログラム２２が受け手Ｂから返信されたものであることを確認することができる。
【００４６】
このとき送り手Ａ側に届いた実行プログラム２２は、概略、図４の実行プログラム２２▲２▼Ａで示される。
【００４７】
そこで、送り手Ａは、返信デジタルコンテンツ一致判定部３９Ａにより、受け手Ｂから転送されたデジタルコンテンツＤＣの内容が、最初に受け手Ｂへ転送したデジタルコンテンツＤＣの内容と一致していることが確認されたら、所定の確認操作をする（ステップＳ５）。
【００４８】
そして、この確認操作が終了すると、それまで表示されていなかった受け手ＢのサインＳｇＢが、適宜の画像を重ねて読み取り可能に表示されることで、送り手Ａは、そのデジタルコンテンツＤＣの内容が正規のものであることを受け手Ｂが保証している旨を確認することができる。そして、実行プログラム２２を受け手Ｂ側へ再転送する（ステップＳ６）。
【００４９】
このとき送り手Ａ側から受け手Ｂ側へ再転送される実行プログラム２２は、概略、図４の実行プログラム２２▲３▼Ａで示される。
【００５０】
受け手Ｂ側への再転送と同時に、送り手Ａ側では、最初に受け手Ｂへ転送したのち保存されていた実行プログラム２２（図４の実行プログラム２２▲１▼Ａ）を消去し、確認した実行プログラム２２（図４の実行プログラム２２▲３▼Ａ）を保存して、それまで実行状態にあったサブプログラム３０の実行を完了させる（ステップＳ７）。
【００５１】
一方、受け手Ｂ側では、送り手Ａ側から再転送された実行プログラム２２が届くと、受け手側端末コンピュータ１１Ｂを使って届いた実行プログラム２２を見ることで、受け手側端末コンピュータ１１Ｂの図示しない画面に、送り手Ａの印章ＳＡが表示される（ステップＳ１４）。これにより、受け手Ｂは、その実行プログラム２２が送り手Ａから再送信されたものであることを確認することができる。
【００５２】
このとき受け手Ｂ側に届いた実行プログラム２２は、概略、図４の実行プログラム２２▲３▼Ｂで示される。
【００５３】
そこで、受け手Ｂは、再送信デジタルコンテンツ一致判定部３９Ｂにより、送り手Ａから再転送されたデジタルコンテンツＤＣの内容が、送り手Ａへ転送したデジタルコンテンツＤＣの内容と一致していることが確認されたら、所定の確認操作をする（ステップＳ１５）。
【００５４】
そして、この確認操作が終了すると、送り手Ａへ転送したのち保存されていた実行プログラム２２（図４の実行プログラム２２▲２▼Ｂ）を消去し、確認した実行プログラム２２（図４の実行プログラム２２▲３▼Ｂ）を保存する（ステップＳ１６）。
【００５５】
そのため、送り手Ａ側に保存される実行プログラム２２（図４の実行プログラム２２▲３▼Ａ）と、受け手Ｂ側に保存される実行プログラム２２（図４の実行プログラム２２▲３▼Ｂ）とは、互いに同一のものであることが保証されることとなる。
【００５６】
なお、上記の実施の形態では、管理プログラム２１が、実行プログラム２２の中から各サブプログラム３０をそれぞれ３回（すなわち１往復半）ずつ転送させるように構成したが、これに限定するものでなく、例えば、２回（すなわち１往復）ずつ転送させるように構成することもできるし、１回ずつ転送させるように構成することも可能である。そして、３回（１往復半）転送させる場合のデジタルコンテンツとしては、例えば１対１の契約書を適用することができ、これと同様に、２回（１往復）転送させる場合のデジタルコンテンツ、および、１回だけ転送させる場合のデジタルコンテンツとしても、種々の適用が可能である。
【００５７】
また、上記の実施の形態では、実行プログラム２２が、複数の互いに同一のサブプログラム３０、３０、…を備えているものとして構成したが、これに限定するものでなく、例えば、単一のサブプログラム３０の有する機能だけを備えているものを実行プログラム２２として構成することも可能である。
【００５８】
また、上記の実施の形態では、プログラム（メインプログラム）２０が管理プログラム２１と実行プログラム２２とで構成され、このうち実行プログラム２２が、送り手Ａと受け手Ｂとの間で転送されるように構成したが、これに限定するものでなく、例えば、プログラム（メインプログラム）２０そのものが、送り手Ａと受け手Ｂとの間で転送されるように構成することも可能である。
【００５９】
また、上記の実施の形態では、電子メール方式を用いることで、送り手Ａと受け手Ｂとの間でデジタルコンテンツを転送させるように構成したが、これに限定するものでなく、ネットワークを利用することで、送り手Ａと受け手Ｂとの間でデジタルコンテンツを転送させることができるものであれば、適宜の方式を採用することが可能である。
【００６０】
また、上記の実施の形態では、送り手ＡのサインＳｇＡは、受け手Ｂが自己のサインＳｇＢを手書き入力し、その終了を確認してはじめて表示されるように構成したが、これに限定するものでなく、受け手Ｂがあらかじめ決められた適宜の操作を行うことで、送り手ＡのサインＳｇＡが表示されるように構成することが可能であり、また、受け手ＢのサインＳｇＢについても、送り手Ａがあらかじめ決められた適宜の操作を行うことで、表示されるように構成することが可能である。
【００６１】
また、上記の実施の形態では、送り手Ａの識別標識として送り手Ａの印章ＳＡを使用し、また、受け手Ｂの識別標識として受け手Ｂの印章ＳＢを使用したが、これに限定するものでなく、適宜のマークその他の識別可能な標識を使用することが可能である。
【００６２】
また、上記の実施の形態では、送り手Ａの保証標識として送り手Ａの手書きのサインＳｇＡを使用し、また、受け手Ｂの保証標識として受け手Ｂの手書きのサインＳｇＢを使用したが、これに限定するものでなく、署名以外の保証可能な適宜の標識を使用することが可能である。
【００６３】
さらに、上記の実施の形態では、送り手ＡのサインＳｇＡを表示する際、そのまま表示することでサインＳｇＡだけの複製が行われることを防止するため、サインＳｇＡを読み取ることが可能な程度の適宜の画像を重ねて表示するように構成し、また、これと同様に、受け手ＢのサインＳｇＢを表示する際、そのまま表示することでサインＳｇＢだけの複製が行われることを防止するため、サインＳｇＢを読み取ることが可能な程度の適宜の画像を重ねて表示するように構成したが、これに限定するものでなく、サインＳｇＡ、ＳｇＢが、例えば、それだけを複製することが困難である場合や、または、署名以外の標識のように、複製されても格別の支障をきたす可能性が少ない場合は、画像を重ねずに表示することも可能である。
【００６４】
【発明の効果】
この発明は以上のように、ネットワークを利用して送り手から受け手へ転送されるデジタルコンテンツとともに、送り手を確認できる識別標識を表示可能に、かつ、送り手のサインを伏せた状態で転送し、受け手が識別標識により送り手を確認してあらかじめ決められた操作を行うと、送り手のサインを表示させるように構成したので、パスワードや暗号技術に馴染みの薄いユーザにとっても、本人確認および内容確認を含む認証を、簡便で使いやすく実現することができる効果がある。
【図面の簡単な説明】
【図１】デジタルコンテンツの認証システムの一実施の形態を示すブロック図である。
【図２】図１の認証システムに用いられるプログラムの一例を示す概念図である。
【図３】図１のものの動作を示すフローチャートである。
【図４】図１のものの動作を示す説明図である。
【符号の説明】
１  デジタルコンテンツの認証システム
１０  ネットワーク
１１Ａ  送り手側端末コンピュータ
１１Ｂ  受け手側端末コンピュータ
１２Ａ  送り手側メールサーバ
１２Ｂ  受け手側メールサーバ
２０  プログラム（メインプログラム）
２１  管理プログラム
２２  実行プログラム
３０  サブプログラム
３１Ａ  送り手アドレス保存部
３１Ｂ  受け手アドレス保存部
３２  デジタルコンテンツ保存部
３３Ａ  送り手印章受付部
３３Ｂ  受け手印章受付部
３４Ａ  送り手印章確認部
３４Ｂ  受け手印章確認部
３５Ａ  送り手印章保存部
３５Ｂ  受け手印章保存部
３６Ａ  送り手サイン受付部
３６Ｂ  受け手サイン受付部
３７Ａ  送り手サイン確認部
３７Ｂ  受け手サイン確認部
３８Ａ  送り手サイン保存部
３８Ｂ  受け手サイン保存部
３９Ａ  返信デジタルコンテンツ一致判定部
３９Ｂ  再送信デジタルコンテンツ一致判定部
Ａ  送り手
Ｂ  受け手
ＤＣ  デジタルコンテンツ
【図１】
0004703812.tif 000002
【図２】
0004703812.tif 000003
【図３】
0004703812.tif 000004
【図４】
0004703812.tif 000005